(57)【要約】【課題】インターホン機能利用中であっても外部音源の音を再生可能であり，かつ浴室の人が音声を外部音源の音と容易に区別可能にした風呂リモコンシステムを提供する。【解決手段】風呂用燃焼装置の制御部に通信回線を介して浴室リモコンと台所リモコンとを有する風呂リモコンシステムにおいて，両リモコンはマイクとスピーカとを有し，一方のリモコンのインターホン操作に応答してマイク側の音信号を一方のリモコンから他方のリモコンに送出し当該他方のリモコンで再生するインターホン機能を有する。そして，台所リモコンは，外部音源を接続可能であり，インターホン操作時に外部音源側の音信号の信号レベルを下げて，マイク側音信号より低いレベルにして送出する。それにより浴室リモコンではマイク側音信号をより高いレベルで外部音源側の音信号をより低いレベルで同時に再生することができる。【選択図】図１
2007322113.tif 000002
【特許請求の範囲】
【請求項１】
風呂用燃焼装置の制御部に通信回線を介して接続可能な浴室設置の第１のリモコンと浴室外に設置の第２のリモコンとを有する風呂リモコンシステムにおいて，
前記第１及び第２のリモコンは，それぞれマイクとスピーカ機能を有し，一方のリモコンのインターホン操作に応答してマイク側の音信号を一方のリモコンから他方のリモコンに送出し当該他方のリモコンで再生するインターホン機能を有し，
前記第２のリモコンは，外部音源を接続可能であり，当該外部音源が接続されたときであって前記第２のリモコンでインターホン操作が行われない間は，所定の信号レベルで前記外部音源側の音信号を送出し，前記外部音源が接続されたときであって前記第２のリモコンでインターホン操作が行われたときは，前記外部音源側の音信号を前記マイク側の音信号より低いレベルでマイク側の音信号と共に送出することを特徴とする風呂リモコンシステム。
【請求項２】
請求項１において，前記第２のリモコンは，前記外部音源が接続されたときであって前記第２のリモコンでインターホン操作が行われたときは，前記マイク側の音信号の入力に応答して，前記外部音源側の音信号を前記マイク側の音信号より低いレベルに低下させ，前記マイク側の音信号の消失に応答して，前記外部音源側の音信号を前記所定のレベルに上昇させることを特徴とする風呂リモコンシステム。
【請求項３】
請求項２において，前記第２のリモコンは，前記マイク側の音信号の消失に応答して，前記外部音源側の音信号の前記所定のレベルへの上昇を，前記マイク側の音信号の消失が所定期間継続した後に行う，または所定の傾斜で行うことを特徴とする風呂リモコンシステム。
【請求項４】
請求項１において，前記第１のリモコンが，前記インターホン操作されたときに，前記第１のリモコンから第２のリモコンに前記マイク側の音信号を一方向通信することを特徴とする風呂リモコンシステム。
【請求項５】
風呂用燃焼装置の制御部に通信回線を介して接続可能な浴室設置の第１のリモコンと浴室外に設置の第２のリモコンとを有する風呂リモコンシステムの第２のリモコンであって，
前記第１及び第２のリモコンは，それぞれマイクとスピーカ機能を有し，一方のリモコンのインターホン操作に応答してマイク側の音信号を一方のリモコンから他方のリモコンに送出し当該他方のリモコンで再生するインターホン機能を有し，
前記第２のリモコンは，
外部音源を接続可能であり，当該外部音源が接続されたときであって前記第２のリモコンでインターホン操作が行われない間は，所定の信号レベルで前記外部音源側の音信号を送出し，前記外部音源が接続されたときであって前記第２のリモコンでインターホン操作が行われたときは，前記外部音源側の音信号を前記マイク側の音信号より低いレベルにしてマイク側の音信号と共に送出することを特徴とする風呂リモコンシステムのリモコン。
【発明の詳細な説明】
【技術分野】
【０００１】
本発明は，風呂用燃焼装置の制御部に接続される浴室リモコンと台所リモコンからなる風呂リモコンシステムに関し，特に，台所リモコンに接続可能な外部音源の音を浴室リモコンから再生可能にした風呂リモコンシステムに関する。
【背景技術】
【０００２】
風呂リモコンシステムは，風呂用燃焼装置の制御部への遠隔制御を行うためのリモコンからなり，通常は，浴室内に設置される浴室リモコンと，浴室以外の台所や居間に設置される浴室外のリモコン（以下簡単のために台所リモコンと称する。）とが，制御部に有線または無線の通信回線を介して接続された構成になっている。浴室リモコンまたは台所リモコンから燃焼開始指令や，追焚運転指令，設定温度変更指令などが出されると，それに応答して燃焼装置の制御部が対応する運転制御を開始する。
【０００３】
また，両リモコンにマイクとスピーカを設けて，浴室リモコンと台所リモコンとの間で一方通行の音声通話が可能なインターホン機能をもたせることが知られている。これにより，浴室と浴室以外のリモコン設置場所との間で，インターホン機能による音声通話が可能になる。このインターホン機能では，リモコン間を接続する通信回線が一方向通信しか対応できないため，一方のリモコンでインターホンスイッチをオンにすると一方のリモコンから他方のリモコンへの音声通信が行われ，他方のリモコンでインターホンスイッチをオンにすると他方のリモコンから一方のリモコンへの音声通信が行われるのが一般的である。
【０００４】
上記の音声通信機能を利用して，台所リモコンにオーディオ機器などの外部音源を接続し，その外部音源の音を浴室リモコンから再生可能にすることが提案されている。例えば特許文献１に示されるとおりである。
【０００５】
特許文献１に記載された風呂リモコンシステムでは，台所リモコンに外部オーディオ機器を接続可能とし，浴室リモコンまたは台所リモコンの切替操作により両リモコン間の通話を可能とするインターホン機能と浴室リモコンから外部オーディオ機器の音楽を出力させるオーディオ機能とを選択可能としている。
【特許文献１】特開２００２−２４３２７３号公報
【発明の開示】
【発明が解決しようとする課題】
【０００６】
しかしながら，特許文献１に記載された風呂リモコンシステムでは，切替操作によりインターホン機能とオーディオ機能とが切り替えられるため，オーディオ機能を利用中にインターホン機能に切り替えられると音楽の再生が中断されてしまう。そのため，再生されている音楽を確認しながら浴室の人が台所の人にインターホン機能により外部オーディオ機器の操作を依頼しようとしても，インターホン機能利用中は音楽再生が行われず再生音楽の確認ができないという不都合が生じる。
【０００７】
また，単純にインターホン機能利用中も音声と共に音楽を浴室リモコンに送信すると，浴室リモコン側では音声と音楽とが同時に再生され，浴室の人が音声を正確に聞き分けることができないという不都合が生じる。
【０００８】
そこで，本発明の目的は，インターホン機能利用中であっても外部音源の音を再生可能であり，かつ浴室の人が音声を外部音源の音と容易に区別可能にした風呂リモコンシステムを提供することにある。
【課題を解決するための手段】
【０００９】
上記の目的を達成するために，本発明の第１の側面によれば，風呂用燃焼装置の制御部に通信回線を介して接続可能な浴室設置の第１のリモコンと浴室外に設置の第２のリモコンとを有する風呂リモコンシステムにおいて，
前記第１及び第２のリモコンは，それぞれマイクとスピーカ機能を有し，一方のリモコンのインターホン操作に応答してマイク側の音信号を一方のリモコンから他方のリモコンに送出し当該他方のリモコンで再生するインターホン機能を有し，
前記第２のリモコンは，外部音源を接続可能であり，当該外部音源が接続されたときであって前記第２のリモコンでインターホン操作が行われない間は，所定の信号レベルで前記外部音源側の音信号を送出し，前記外部音源が接続されたときであって前記第２のリモコンでインターホン操作が行われたときは，前記外部音源側の音信号を前記マイク側の音信号より低いレベルでマイク側の音信号と共に送出することを特徴とする。
【００１０】
上記の発明の側面において，好ましい態様では，前記第２のリモコンは，前記外部音源が接続されたときであって前記第２のリモコンでインターホン操作が行われたときは，前記マイク側の音信号の入力に応答して，前記外部音源側の音信号を前記マイク側の音信号より低いレベルに低下させ，前記マイク側の音信号の消失に応答して，前記外部音源側の音信号を前記所定のレベルに上昇させる。
【００１１】
また，さらに，前記第２のリモコンは，前記マイク側の音信号の消失に応答して，前記外部音源側の音信号の前記所定のレベルへの上昇を，前記マイク側の音信号の消失が所定期間継続した後に行うことを特徴とする。または，前記外部音源側の音信号の前記所定のレベルへの上昇を，所定の傾斜で行うことを特徴とする。
【発明の効果】
【００１２】
上記の発明の側面によれば，インターホン機能利用中であっても外部音源の音を再生可能であり，かつ浴室の人が音声を外部音源の音と容易に区別することができる。
【発明を実施するための最良の形態】
【００１３】
以下，図面にしたがって本発明の実施の形態について説明する。但し，本発明の技術的範囲はこれらの実施の形態に限定されず，特許請求の範囲に記載された事項とその均等物まで及ぶものである。
【００１４】
図１，図２は，本実施の形態における風呂リモコンシステムの構成図である。図１では台所リモコンの詳細構成が示され，図２では浴室リモコンの詳細構成が示されている。
【００１５】
台所リモコン２０と浴室リモコン４０は，２芯の通信線５０を介して接続されると共に，風呂用燃焼装置の制御部１０にも接続される。両リモコン２０，４０には制御用操作スイッチＣＳＷが設けられ，この制御用操作スイッチＣＳＷの操作信号が制御部１０と相手側のリモコンに送出され，制御部１０はその操作信号に対応した運転制御を行い，相手側のリモコンの制御用マイクロコンピュータ２１，４１は操作信号に対応した操作表示を表示部２２，４２に行う。
【００１６】
また，台所リモコン２０と浴室リモコン４０は，いずれもマイクＭＣとスピーカＳＰとを有し，一方のリモコンのインターホンスイッチＩＳＷが操作されると，インターホン起動信号Ｓ２５，Ｓ４５によりマイクＭＣのスイッチＳＷ２，ＳＷ３がオンされ，マイクＭＣから入力される音声の音信号が他方のリモコンに送出され，他方のリモコンでは受信した音信号がスピーカＳＰにより再生される。このように，一方のリモコンから他方のリモコンにマイク側の音信号を送出してインターホン機能を実現する。なお，上記のマイクＭＣとスピーカＳＰとは同じ部品により実現されてもよく，マイクとスピーカ機能が実現されていればよい。
【００１７】
さらに，台所リモコン２０は，外部音源ＥＳＳが接続可能な外部ジャック端子ＳＷ１を有し，外部音源ＥＳＳが接続されるとその音信号が浴室リモコン４０に送出され浴室で再生される。風呂リモコンシステムのインターホン機能がもつ音信号の送出と再生機能を利用することで，台所リモコンに接続した外部音源の音を浴室リモコンで再生することができる。したがって，外部音源ＥＳＳを例えばオーディオ機器にすれば浴室リモコンで音楽やその他英会話レッスンなどの音を再生することができる。
【００１８】
図１に示されるとおり，台所リモコン２０は，制御用マイクロコンピュータ２１と，それに接続される表示部２２とインターホンスイッチＩＳＷと制御用操作スイッチＣＳＷとを有する。制御用操作スイッチＣＳＷの操作信号が信号Ｓ２３として通信回路２７から燃焼装置制御部１０と浴室リモコン４０とに送出され，制御部１０はそれに対応する燃焼制御運転などを実行し，浴室リモコン４０はそれに対応する表示制御を行う。
【００１９】
インターホンスイッチＩＳＷの操作に応答して，インターホン起動信号Ｓ２５によりマイク側のスイッチＳＷ２がオンされ，マイクＭＣからの音信号Ｓ２７が，ＦＭ変調回路２６で周波数変調され，通信回路２７から通信回線５０経由で送出される。また，浴室リモコン４０から受信した音信号Ｓ２４は，ＦＭ復調回路２８で復調され，増幅回路ＡＭＰで増幅されてスピーカＳＰから再生される。
【００２０】
台所リモコン２０には，接続された外部音源ＥＳＳの音を入力する外部音源入力部２３が設けられ，外部音源入力部２３は，入力された音信号Ｓ２０をレベル変換部２５を介してＦＭ変調回路２６に出力する。その音信号もＦＭ変調回路２６で変調され通信回路２７から送出される。
【００２１】
したがって，台所リモコン２０に外部音源ＥＳＳが接続されその音が浴室リモコン４０に送出している間，台所リモコンのインターホンスイッチＩＳＷが操作されると，マイク側の音信号Ｓ２７と外部音源側の音信号Ｓ２１の両方がＦＭ変調され，通信回路２７から送出される。ただし，両方の音信号が送出されるときは，外部音源側の音信号Ｓ２０はレベル変換部２５によってマイク側の音信号よりも低い信号レベルにされ，マイク側の音信号Ｓ２７は高い信号レベルで，外部音源側の音信号はそれより低い信号レベル（Ｓ２１）で，浴室リモコンに送出される。
【００２２】
この外部音源側の音信号のレベル低下は，台所リモコンでインターホンスイッチＩＳＷが操作されてその起動信号Ｓ２５が出力され，且つ音声検出部２４がマイクＭＣからの所定レベル以上の音信号を検出して音声検知信号Ｓ２６を出力した時に，行われる。したがって，台所リモコンでインターホンスイッチＩＳＷが操作されてその起動信号Ｓ２５が出力されていても，音声検出部２４が音声検出信号Ｓ２６を出力しない間は，外部音源側の音信号Ｓ２０のレベル低下は行われない。この制御については後で再度詳述する。
【００２３】
一方，図２に示されるとおり，浴室リモコン４０は，台所リモコンと同様に，制御用マイクロコンピュータ４１と，それに接続される表示部４２とインターホンスイッチＩＳＷと制御用操作スイッチＣＳＷとを有する。制御用操作スイッチＣＳＷの操作信号が信号Ｓ４３として通信回路４７から燃焼装置制御部１０と台所リモコン２０とに送出され，制御部１０はそれに対応する燃焼制御運転などを実行し，台所リモコン２０はそれに対応する表示制御を行う。
【００２４】
インターホン機能においても，台所リモコンと同様に，インターホンスイッチＩＳＷの操作に応答して，インターホン起動信号Ｓ４５によりマイク側のスイッチＳＷ３がオンされ，音声入力部４４はマイクからの音声信号を入力し，音信号Ｓ４１をＦＭ変調回路４６に供給する。そして，周波数変調された信号が通信回路４７から通信回線５０経由で送出される。また，台所リモコン２０から受信した音信号Ｓ４４は，ＦＭ復調回路４８で復調され，増幅回路ＡＭＰで増幅されてスピーカＳＰから再生される。
【００２５】
次に，本実施の形態の特徴的な機能である外部音源の浴室リモコンでの再生と，インターホン機能とが同時に行われる動作について説明する。
【００２６】
図３は，本実施の形態における両リモコンの動作を示すタイミングチャート図である。また，図４は，図３の動作における両リモコンでの音信号の信号波形図である。図４において，実線が外部音源の音信号を，一点鎖線がマイク側の音信号をそれぞれ示し，上側が台所リモコン側の送出される音レベルを，下側が浴室リモコン側の再生される音レベルをそれぞれ示す。図３，図４を参照して，外部音源が接続されてから両リモコンからインターホン機能が働く場合の動作を説明する。
【００２７】
台所リモコン２０に外部音源ＥＳＳが接続されると（Ｓ６０，時刻ｔ１），接続された外部音源の音信号が第２のレベルＬ２で送出される。浴室リモコン４０では，第２のレベルの音信号を受信し，ＦＭ復調し，増幅器ＡＭＰで増幅してスピーカＳＰから再生する（Ｓ６２）。したがって，浴室リモコン側では，外部音源側の音信号は送出された第２のレベルＬ２に対応するレベルで出力される（図４の下側の実線）。もし，浴室リモコンに音量調整スイッチが設けられている場合は，この再生レベルはその調整レベルにされる。
【００２８】
上記のように外部音源側の音が浴室リモコンのスピーカＳＰから再生されている最中に，台所リモコン２０でインターホンスイッチＩＳＷが操作されると（Ｓ６４，時刻ｔ２），インターホン起動信号Ｓ２５によりマイク側のスイッチＳＷ２がオンされインターホン起動状態になる。そこで，マイクＭＣから音声信号が入力されると（Ｓ６５，時刻ｔ３），マイク側の音信号が第１のレベルＬ１で送出され，外部音源側の音信号Ｓ２０はレベル変換部２５により第１のレベルＬ１より低い第３のレベルＬ３に低下されて送出される。その結果，台所リモコン２０は，第１のレベルＬ１のマイク側音信号とそれより低い第３のレベルＬ３の外部音源側の音信号とを合成して，浴室リモコン４０に送出する。
【００２９】
浴室リモコン４０では，マイク側音信号と外部音源側音信号とを受信し，ＦＭ復調し，増幅回路ＡＭＰで増幅して，マイク側音信号をより大きく，外部音源側音信号をそれより小さくしてスピーカＳＰから再生する。その結果，図４の浴室側再生音レベルに示されるとおり，マイク側音信号（一点鎖線）がより高いレベルで，外部音源側音信号（実線）がそれより低いレベルで，スピーカＳＰから同時に再生される（Ｓ６６）。つまり，外部音源側音信号は，一種のバックグランド音としてインターホンの音声と同時に再生される。
【００３０】
マイク側の音信号が消失すると（Ｓ６７，時刻ｔ４），台所リモコン２０では，音声検出部２４が検出信号Ｓ２６をオフにし，外部音源側音信号Ｓ２０はレベル低下されずに元の第２の信号レベルＬ２にもどされて送出される。そのため，浴室リモコンでは，第２レベルＬ２の外部音源側音信号を受信し，それに対応する信号レベルで再生する（Ｓ６８）。その結果，浴室リモコンでは受信する外部音源側音信号のレベルが上昇する。
【００３１】
台所リモコン２０内のレベル変換部２５は，外部音源側音信号Ｓ２０のレベル上昇を所定時間ｄｔだけ遅延して行うこともできる。つまり，レベル変換部２５は，音声検出信号Ｓ２６がオフになっても，そのオフ状態が所定時間ｄｔ（例えば２秒間）継続したことを検出した後に，外部音源側音信号のレベル上昇を行うこともできる。このようにすれば，インターホン機能中の音声に挿入されるポーズを区別し，一般的なポーズより長い期間マイク側音信号が消失したことを確認したうえで，レベル上昇をすることができる。したがって，音声のポーズのたびに外部音源の信号レベルが上下することを回避することができる。
【００３２】
さらに，レベル変換部２５は，外部音源側の音信号のレベル上昇を，所定の傾斜で，つまり２〜５秒程度でゆっくりと信号レベルＬ２まで上昇させることが望ましい。一旦信号レベルが下がった外部音源の音信号のレベルをゆっくり上昇させることで，浴室リモコンでの再生音のレベルをゆっくり上昇させることができ，急に上昇させるよりも自然な音レベルの回復を実現することができる。
【００３３】
台所リモコン側でインターホンスイッチＩＳＷがオフされた後は（Ｓ７０，時刻ｔ５），信号レベルＬ２の外部音源側の音信号が浴室リモコンに送出され，浴室リモコンは外部音源側の音を再生する（Ｓ７２）。
【００３４】
次に，浴室リモコン４０にてインターホンスイッチＩＳＷが操作されると（Ｓ７４，時刻ｔ６），浴室リモコンから台所リモコンへのインターホン機能が起動する。つまり，このインターホン機能の起動により，台所リモコンからの外部音源側の音信号は切断され，浴室リモコンのマイク側の音信号のみが送信可能になる。そして，浴室リモコンでマイクから音信号が入力されると（時刻ｔ７），その音信号は台所リモコン側に送出される。それに応答して，台所リモコン２０では受信した音信号をスピーカＳＰから再生する（Ｓ７６）。
【００３５】
そして，浴室リモコンでインターホンスイッチＩＳＷがオフにされると（時刻ｔ９），一方向のインターホン動作状態が解除され，台所リモコンからの外部音源の音信号（信号レベルＬ２）が再度浴室リモコンへ送出され，浴室リモコンではその音信号が設定レベルＬｓで再生される。最後に，外部音源ＥＳＳが切断されると（Ｓ８２，時刻ｔ１０），外部音源の音の再生は停止する。
【００３６】
以上のとおり，本実施の形態によれば，外部音源が台所リモコンに接続されると，その外部音源の音信号が浴室リモコンに送出され浴室リモコンのスピーカにより再生される。この外部音源の音信号の再生中に，台所リモコンからインターホンスイッチが操作されても，外部音源の音信号の送出は停止されず，マイク側音信号とともに送出される。その場合，外部音源側音信号はマイク側音信号よりも低いレベルで台所リモコンから送出され，浴室リモコンでは，そのレベル差を保って再生される。つまり，インターホン機能と外部音源の再生機能とが同時に動作するとともに，マイク側音信号を外部音源側音信号よりも高いレベルで再生する。ただし，外部音源の音信号の再生中に，浴室リモコンからインターホンスイッチが操作されると，外部音源の音信号の送出はインターホン機能による一方向通信により停止する。したがって，浴室リモコンからのインターホン起動中以外は，外部音源の音信号は浴室リモコンで再生続けられることになる。それにより，浴室の人は，外部音源の再生音を聞きながら台所の人に外部音源の切替を指示することができ利便性を高めることができる。また，浴室の人は，台所リモコンからのインターホン操作によっては外部音源の再生音を切断されずに鑑賞継続できる。
【００３７】
上記の実施の形態において，浴室リモコン４０の音声入力部４４が，インターホンスイッチＩＳＷによりインターホン起動信号Ｓ４５に加えて，マイクＭＣからの音声信号の検出に応答して，初めてインターホン動作を活性化することもできる。その場合は，図４に示した時刻ｔ６−ｔ７間と時刻ｔ８−ｔ９間においても，外部音源の音信号を台所リモコンから浴室リモコンに送出することができ，外部音源の音信号の再生が遮断される期間をさらに短くすることができる。そのためには，浴室リモコン４０内の音声入力部４４は音声検出機能を有することが必要となる。
【００３８】
上記の実施の形態において，台所リモコンは台所以外の部屋，例えば居間，寝室，廊下などに設置されてもよい。また，浴室リモコンにおいて，音声制御ボタンが設けられて，増幅回路ＡＭＰによる増幅率を可変制御可能にしてもよい。さらに，上記実施の形態では，インターホンスイッチＩＳＷが操作されたときにインターホン機能が起動しているが，インターホンスイッチＩＳＷが設けられなくてもマイクから一定レベル以上の音声が入力されたことをインターホン操作と判定して，インターホン機能が起動するようにしてもよい。
【図面の簡単な説明】
【００３９】
【図１】本実施の形態における風呂リモコンシステムの構成図である。
【図２】本実施の形態における風呂リモコンシステムの構成図である。
【図３】本実施の形態における両リモコンの動作を示すタイミングチャート図である。
【図４】図３の動作における両リモコンでの音信号の信号波形図である。
【符号の説明】
【００４０】
１０：燃焼装置の制御部                      ５０：通信回線
２０：台所リモコン                          ４０：浴室リモコン
ＭＣ：マイク                                ＥＳＳ：外部音源
【図１】
2007322113.tif 000003
【図２】
2007322113.tif 000004
【図３】
2007322113.tif 000005
【図４】
2007322113.tif 000006